(57)【要約】【課題】異物除去装置において搬送物に混入した異物を除去する際の電力消費量を低減するとともに、異物とともに除去されて使用できなくなる搬送物を少なくする。【解決手段】連続的に搬送物を搬送するための搬送部と、前記搬送物に混入している異物を検出するための異物検査部と、前記異物に圧縮空気を噴射するための圧縮空気噴射部と、負圧を発生させる吸引手段を有し、前記異物を吸引するための異物吸引部と、前記異物検査部で前記異物を検出した直後に、前記異物吸引部の吸引操作を開始する制御を行う制御部とを含む。【選択図】図１
2011000542.tif 000002
【特許請求の範囲】
【請求項１】
連続的に搬送物を搬送するための搬送部と、前記搬送物に混入している異物を検出するための異物検査部と、前記異物に圧縮空気を噴射するための圧縮空気噴射部と、負圧を発生させる吸引手段を有し、前記異物を吸引するための異物吸引部と、前記異物検査部で前記異物を検出した直後に、前記異物吸引部の吸引操作を開始する制御を行う制御部とを含むことを特徴とする異物除去装置。
【請求項２】
前記異物吸引部は、減圧空気容器とバルブとを有し、前記異物検査部で前記異物を検出しない状態では前記バルブを閉とし、前記減圧空気容器は、前記吸引手段により減圧状態が維持され、前記制御部は、前記異物検査部で前記異物を検出した直後に前記バルブを開とする制御を行うことを特徴とする請求項１記載の異物除去装置。
【請求項３】
前記異物吸引部は、前記異物を取り込むための吸引口を有し、前記圧縮空気噴射部は、前記圧縮空気を前記吸引口に向かって噴射するノズルを有することを特徴とする請求項１又は２に記載の異物除去装置。
【請求項４】
前記制御部は、前記吸引操作を開始した後、前記異物が前記ノズルの近傍を通過する時に圧縮空気を噴射する制御を行うことを特徴とする請求項３記載の異物除去装置。
【請求項５】
前記吸引口と前記ノズルとの間に前記搬送物の落下経路を設けたことを特徴とする請求項３又は４に記載の異物除去装置。
【請求項６】
前記搬送物と前記異物とを分離するための異物分離部を設けたことを特徴とする請求項１〜５のいずれか一項に記載の異物除去装置。
【請求項７】
前記異物分離部を前記吸引口と前記吸引手段との間に設けたことを特徴とする請求項６記載の異物除去装置。
【請求項８】
前記異物を格納するための異物格納部を設けたことを特徴とする請求項１〜７のいずれか一項に記載の異物除去装置。
【請求項９】
前記吸引口は、移動可能であることを特徴とする請求項３〜８のいずれか一項に記載の異物除去装置。
【発明の詳細な説明】
【技術分野】
【０００１】
本発明は、異物除去装置に関する。
【背景技術】
【０００２】
食品等の製造ラインの原料搬送工程や製造工程においては、金属、石、ガラス、毛髪、虫等の異物が混入するケースがあり、食品衛生上の問題となっている。このため、近年では、多くの食品製造メーカが金属検査機やＸ線検査装置を採用し、食品の製造工程において異物の除去作業を行っている。
【０００３】
しかしながら、毛髪や虫などの検出は非常に困難であるため、現状では作業者による目視検査に頼らざるを得ず、検査コストの増大や異物の見逃しが問題となっている。
【０００４】
特許文献１には、原料を移送する移送手段と、該移送手段で移送される原料に広帯域光を照射する照射手段と、前記原料の前記広帯域光を照射した部分の反射光または透過光により、中赤外線領域、近赤外線領域、および、可視光領域の３の波長領域の画像を撮像する撮像手段と、該撮像手段で得られた３の波長領域の画像情報から前記原料の撮像部分における２次元の吸光度の分布をそれぞれ求め、該吸光度の分布に基づいて前記原料中の異物の有無を判定する判定手段と、を備えたことを特徴とする光学式異物検出装置が開示されている。
【０００５】
特許文献２には、食品に含まれる異物や不純物などを除去するための自動選別装置であって、前記食品に光を照射するための照明部、前記照明部により光が照射された前記食品のカラー画像を取り込むための画像取込部、および前記画像取込部によって取り込まれた前記食品のカラー画像から色情報を抽出し、予め記憶させた異物や不純物の色情報と比較して前記食品中の異物や不純物を検出するための画像処理コントローラを含む、自動選別装置が開示されている。
【０００６】
特許文献３には、選別対象物の良品・不良品とそれ以外の異物とを含む被選別原料を移動させる過程と、移動する被選別原料に可視光と近赤外光とを照射する過程と、被選別原料から得られる可視光に関する光情報を受光解析する過程と、被選別原料から得られる近赤外光に関する光情報を受光解析する過程と、受光した可視光に関する光情報の解析結果に基づいて被選別原料から不良品を排除選別する過程と、受光した近赤外光に関する光情報の解析結果に基づいて被選別原料から異物を排除選別する過程と、を備えることを特徴とする粒状物選別方法が開示されている。
【０００７】
特許文献４には、物品を搬送するシュートを囲って集塵チャンバーを構成し、該集塵チャンバーを、ダクトを介して集塵機に連結してなるシュート搬送物品の集塵装置において、該チャンバー内に搬送中の物品に圧縮エアーを吹き付けるエアーノズルを配置し、且つ前記集塵チャンバーに設けられている吸引ダクト取付壁面に対向する壁面にフィルタ付開口部を設けたことを特徴とするシュート搬送物品の集塵装置が開示されている。
【先行技術文献】
【特許文献】
【０００８】
【特許文献１】特開２００１−９９７８３号公報
【特許文献２】特開２００２−２０５０１９号公報
【特許文献３】特開２０００−１５７９３６号公報
【特許文献４】特開２００３−２５１２８９号公報
【発明の概要】
【発明が解決しようとする課題】
【０００９】
本発明の目的は、異物除去装置において搬送物に混入した異物を除去する際の電力消費量を低減するとともに、異物とともに除去されて使用できなくなる搬送物を少なくすることにある。
【課題を解決するための手段】
【００１０】
本発明の異物除去装置は、連続的に搬送物を搬送するための搬送部と、前記搬送物に混入している異物を検出するための異物検査部と、前記異物に圧縮空気を噴射するための圧縮空気噴射部と、負圧を発生させる吸引手段を有し、前記異物を吸引するための異物吸引部と、前記異物検査部で前記異物を検出した直後に、前記異物吸引部の吸引操作を開始する制御を行う制御部とを含むことを特徴とする。
【発明の効果】
【００１１】
本発明によれば、搬送物に混入した異物を除去する際の電力消費量を低減することができるとともに、異物とともに除去されて使用できなくなる搬送物を少なくすることができる。
【図面の簡単な説明】
【００１２】
【図１】本発明による実施例の異物除去装置を示す模式構成図である。
【図２】本発明による実施例の異物除去装置の構成要素である異物検査部における異物の座標を示す模式構成図である。
【図３】本発明による実施例の異物除去装置の構成要素である異物吸引部を示す斜視図である。
【図４】従来の異物除去装置の排出機構を示す側面図である。
【図５】本発明による実施例の異物除去装置の構成要素である異物吸引部を示す側面図である。
【図６】本発明による実施例の異物除去装置の構成要素である制御部の異物処理操作を示すフロー図である。
【図７】従来の異物除去装置の異物排出処理操作を示すフロー図である。
【図８】本発明による実施例の異物除去装置の異物排出処理操作を示すフロー図である。
【図９】本発明による他の実施例である異物除去装置の構成要素の異物吸引部を示す側面図である。
【発明を実施するための形態】
【００１３】
本発明は、搬送物の製造、検査の過程で搬送物に混入した異物、特に毛髪を高精度検出して排出することを可能にする異物除去装置に関する。
【００１４】
対象となる異物の例としては、人毛である毛髪や獣毛のほか、糸くず等がある。このため、これらを線状異物と総称することにする。ただし、本発明の異物除去装置により除去することができる異物は、線状異物に限定されるものではなく、金属、石、ガラス、プラスチック、虫等、圧縮空気により除去することができるあらゆる異物を含むものとする。
【００１５】
公知技術においては、集塵機を常時稼動した状態で、圧縮空気で吹き飛ばしたゴミを吸引除去している。
【００１６】
この場合、ゴミがない状態でも集塵機を稼動し続けるため、不要な電力を消費するとともに、空気の流れが搬送物の搬送抵抗となって本来の搬送を阻害するおそれがある。
【００１７】
本発明は、上記の問題点を解決するものであり、ゴミ（異物）が検知されない状態では、空気の吸引を停止し、異物を検知した直後に空気の吸引を開始するための構成を有する異物除去装置を提供するものである。
【００１８】
本発明は、食品等の製造や検査の過程で搬送物に混入した毛髪を異物検査部で検出し、圧縮空気等で吹き飛ばして異物トレイに格納する構成を有する異物除去装置において、異物トレイ側に吸引手段又は集塵装置（排出装置とも呼ぶ。）を取り付ける。この吸引手段又は集塵装置で毛髪が異物トレイに格納されるのをサポートするものである。
【００１９】
本発明は、異物を検出した時にだけ除去装置を稼動することを特徴とする。吸引手段の立ち上げ時の減圧遅れを回避するため、減圧容器をあらかじめ減圧しておき、必要な時に弁を開けて吸引を開始する。
【００２０】
本発明の異物除去装置において、前記異物吸引部は、減圧空気容器とバルブとを有し、前記異物検査部で前記異物を検出しない状態では前記バルブを閉とし、前記減圧空気容器は、前記吸引手段により減圧状態が維持され、前記制御部は、前記異物検査部で前記異物を検出した直後に前記バルブを開とする制御を行うことを特徴とする。
【００２１】
本発明の異物除去装置において、前記異物吸引部は、前記異物を取り込むための吸引口を有し、前記圧縮空気噴射部は、前記圧縮空気を前記吸引口に向かって噴射するノズルを有することを特徴とする。
【００２２】
本発明の異物除去装置において、前記制御部は、前記吸引操作を開始した後、前記異物が前記ノズルの近傍を通過する時に圧縮空気を噴射する制御を行うことを特徴とする。
【００２３】
本発明の異物除去装置においては、前記吸引口と前記ノズルとの間に前記搬送物の落下経路を設けたことを特徴とする。
【００２４】
本発明の異物除去装置においては、前記搬送物と前記異物とを分離するための異物分離部を設けたことを特徴とする。
【００２５】
本発明の異物除去装置において、前記異物分離部は、前記吸引口と前記吸引手段との間に設けたことを特徴とする。
【００２６】
本発明の異物除去装置は、前記異物を格納するための異物格納部を設けたことを特徴とする。
【００２７】
本発明の異物除去装置においては、前記吸引口が移動可能であることを特徴とする。
【００２８】
以下、図を用いて本発明の構成を説明する。
【００２９】
図１は、本発明の一実施例である異物除去装置を示したものである。図１（ａ）は、異物除去装置の全体像を、また、図１（ｂ）は、異物検査部の光学系の詳細を示したものである。
【００３０】
異物除去装置１は、搬送部、異物検査部、圧縮空気噴射部、異物吸引部及び制御部を含む構成である。
【００３１】
搬送部は、搬送手段２及び搬送駆動装置３を含み、異物検査部は、光源ユニット５、撮影手段６、画像間演算手段１５及び異物検出手段１６を含む。また、制御部は制御手段１８である。圧縮空気噴射部は、異物が検出された場合に、異物に圧縮空気を噴射し、異物を含む搬送物４を仕分けするための仕分け手段１９を含み、異物吸引部は、選別トレイ２１及び吸引手段４８（吸引ポンプ）を含む。
【００３２】
光源ユニット５及び撮影手段６は、搬送物及び異物の画像を撮影するためのものであり、画像間演算手段１５及び異物検出手段１６は、画像から異物を検出するためのものである。制御手段１８は、異物検査部で異物を検出したとの信号を受けて仕分け手段１９による圧縮空気の噴射及び吸引手段４８による吸引操作を開始する制御を行うものである。
【００３３】
つぎに、本発明の異物除去装置１の各構成要素について詳細を説明する。
【００３４】
搬送物４は、搬送物供給装置２０によって供給される。搬送物４は、搬送手段２の上に置かれ、異物除去装置１内を通過する。搬送手段２は、通常、一定幅を持つベルト１０２を含み、モータなどの搬送駆動装置３によって移動する。搬送された搬送物４は、光源ユニット５内に導かれる。
【００３５】
光源ユニット５内は、搬送手段２の移動方向に沿ってベルトの両端にストロボ光源１１ａ、１１ｂを配置している。ストロボ光源１１ａ、１１ｂはそれぞれ、直接、搬送物４に光を当てないようにほぼ上向きに照射するようにしている。また、照射した光は、搬送方向に伸びた半円筒状の反射板１２、すなわちトンネル状に湾曲した反射板１２に当たって、その反射光が搬送物４に間接的に、しかも各方向からできるだけ均一に当たるようにしている。また、この反射板１２はトンネル状でなく、半球状でも良く、反射によって間接的にしかも均一に搬送物４に照射できれば形状は特に問わない。搬送物４の上方には反射板１２をはさんで撮影手段６がある。
【００３６】
撮影手段６は、ストロボ光源１１ａ、１１ｂの光が直接入らないような位置となっている。撮影手段６は、レンズ１０と光を分光するためのプリズム７と１つ以上の撮像素子８で構成される。搬送物４からの反射光１３はレンズ１０を経由し、プリズム７で３つの波長帯域（主に青（Ｂ）、緑（Ｇ）、赤（Ｒ））に分光され、それぞれＣＣＤ（Ｃｈａｒｇｅ  Ｃｏｕｐｌｅｄ  Ｄｅｖｉｃｅ、ＣＣＤイメージセンサ（Ｃｈａｒｇｅ  Ｃｏｕｐｌｅｄ  Ｄｅｖｉｃｅ  Ｉｍａｇｅ  Ｓｅｎｓｏｒ）とも呼ぶ。）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ、ＣＭＯＳイメージセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ  Ｉｍａｇｅ  Ｓｅｎｓｏｒ）とも呼ぶ。）の撮像素子８で受光される。分光する波長帯は特にＲＧＢにこだわらなくても、２つ以上の波長帯域に分光できれば良い。
【００３７】
また、必要に応じて、レンズ１０の前段にフィルタ９を設け、不要な波長は取り除いても良い。それぞれの撮像素子８で受光された画像は画像間演算手段１５に導かれ、それぞれの画像から特異な輝度値変化分を抽出する。その後、特異な輝度値変化分から異物検出手段１６にて異物の検出を行う。その検出結果はモニタ１７などで確認することができる。
【００３８】
また、制御手段１８では撮影手段６での撮影、露光とストロボ光源１１ａ、１１ｂの同期をとるための制御や、搬送手段２との撮影タイミングの制御、さらに異物を検出した後の異物を吐き出すための仕分け手段１９の制御を行う。仕分け手段１９は仕分け手段位置に来た異物を排出する。この結果、搬送物４から異物を含む部分が選別され、選別トレイ２１に格納される。
【００３９】
つぎに、検出した異物の排出方法について説明する。
【００４０】
異物を排出するにあたり、搬送物をできるだけ無駄にしない方法が望ましいためには、ピンポイントで異物を排出するピンポイント排出が望ましい。ピンポンイト排出をするには、異物の座標を求めることが必要である。
【００４１】
この座標の算出方法について、図２を用いて説明する。
【００４２】
検査する搬送物４は、搬送手段２により送られて来て、撮像エリア３１にて撮像される。撮像されたデータは、画像処理が行われ、異物があるかどうか判定される。
【００４３】
ここで、異物があった場合は、まず、線状異物３０の重心位置を求める。この重心位置から搬送手段２の終端までの距離を算出してＸ座標とし、ベルト幅方向の重心位置に該当する仕分け手段１９の番号（図中のＮＯ．１〜４）をＹ座標とする。
【００４４】
図２の場合、線状異物３０を排出するには、線状異物３０を検出後、（Ｘ、Ｙ）座標を求め、Ｘ座標及び搬送速度Ｖを用いて仕分け手段１９に到達する時間を算出し、線状異物３０が仕分け手段１９に到達時に仕分け手段１９のＮＯ．２を制御すれば良い。また、モータ３にエンコーダを取り付けて、そのパルスから距離を算出することも可能である。
【００４５】
図３は、本発明による実施例の異物除去装置の構成要素である異物吸引部を示す斜視図である。
【００４６】
搬送手段２の出口は、搬送物４が落下してシュート４４に落ち、搬送物トレイ４５に格納されるようになっている。また、搬送手段２とシュート４４との間には、エアーノズル４１をベルト幅方向（Ｙ軸方向）に複数個並べ、それぞれのエアーノズル４１が電磁弁４２でエアー噴出しを制御できるようにしている。エアーの噴出により飛ばされた搬送物４及び異物３０は異物トレイ４７に収納される構造となっている。ここで、搬送物４は、シュート４４に落下するまでの間、自然落下するが、この経路を落下経路と呼ぶことにする。
【００４７】
搬送物４が搬送される過程で異物３０が検出されると、制御手段１８で搬送方向（Ｘ軸方向）と、Ｙ軸方向の排出位置を計算し、搬送物が落下すると、その（Ｘ、Ｙ）座標に対応したエアーノズルがエアー４３を噴出する。エアーを掛けられた搬送物４及び異物３０は、フード４６を通過して異物トレイ４７に収納される。また、フード４６には、吸引ダクト１２１を介して吸引手段４８が取り付けられており（吸引手段４８は、異物トレイ４７に取り付けても良く、吸引手段４８の吸引口は、異物検出時、異物３０の近くまで可動するようにしても良い。また、吸引手段４８は、複数台使用しても良い。）、異物トレイ４７（異物格納部）に異物３０が格納されるのをサポートしている。
【００４８】
ここで、フード４６の開放面を吸引口（符号１０１で示す。）と呼ぶことにする。エアー４３（圧縮空気）は、エアーノズル４１（単にノズルともいう。）から吸引口１０１に向かって噴射される。すなわち、吸引口１０１とエアーノズル４１との間に搬送物４の落下経路を設けてある。
【００４９】
また、フード４６と異物トレイ４７とが接する面に、異物３０を捕捉（トラップ）し、かつ、寸法（直径）の小さい搬送物４を通過させるメッシュ状のフィルタ（異物分離部と呼ぶ。）を設置してもよい。これにより、異物３０を搬送物４から容易にふるい分けすることができる。
【００５０】
この吸引手段４８で、そのまま異物３０を吸い込むことも可能である。また、吸引手段４８が取り付けられているフード４６又は異物トレイ４７にフィルタを取り付けて、異物３０が異物トレイ４７に格納されるようにすることも可能である。
【００５１】
また、フィルタ（異物分離部）を吸引口１０１と吸引手段４８との間、すなわちダクト１２１に設けて異物３０のみをトラップし、吸引した搬送物４は、異物分離部の下流側のダクト１２１又は吸引手段４８の内部に設けたフィルタ（搬送物捕捉部）に貯留させてもよい。
【００５２】
圧縮空気が噴出するエアーノズル４１は、通常、１か所だけであるため、異物３０の除去に伴う搬送物４の損失は最小限で済む。
【００５３】
これは、異物３０の位置を検出することにより可能となる。本実施例においては、図１に示す異物検査部によって正確な異物検出を可能としている。
【００５４】
従来の排出機においては、食品等の製造、検査の過程で搬送物に混入した毛髪を異物除去装置で検出して、圧縮空気等で吹き飛ばして除去していた。しかし、毛髪は軽いため、圧縮空気等で吹き飛ばしただけでは、異物トレイに格納されない場合があり、検出した毛髪を紛失してしまう可能性があった。この場合、毛髪の排出ミスか、紛失かはすぐには判断できず、その確認作業が発生していた。
【００５５】
図４は、従来の異物除去装置の排出機構を示す側面図である。
【００５６】
従来の方式では、異物３０（線状異物）、特に毛髪などの軽い異物は、圧縮空気等で吹き飛ばしただけでは、フード４６から跳ね返ったり、フード４６に張り付いたりして、異物トレイ４７に格納されない場合があった。
【００５７】
図５は、本発明による実施例の異物除去装置の構成要素である異物吸引部を示す側面図である。
【００５８】
本実施例の異物吸引部は、図４で示した従来の方式と比較すると、フード４６に吸引手段４８が取り付けられている。
【００５９】
運転時において、異物除去装置１で検出された異物３０（線状異物）は、エアーノズル４１から圧縮空気が噴出され、フード４６内に吹き飛ばされる。しかし、吸引手段４８が起動しているため、フード４６付近は、フード４６内に引き込まれ易くなっており、一度、フード４６に入った異物３０は、このフード４６の外には出られないようになっている。このため、エアーノズル４１から噴出した圧縮空気により吹き飛ばした異物３０、特に、毛髪などの軽い異物は、異物トレイ４７に確実に格納されるようになっている。
【００６０】
また、この吸引手段４８で、そのまま異物３０を吸い込むことも可能となっている。本装置は、毛髪などの軽い異物の除去をより確実にするため、吸引手段４８の風量は、エアー噴出側であるエアーノズル４１の風量より多くしている。
【００６１】
また、吸引手段４８は、エアーノズル４１から圧縮空気を噴射する前に起動し、噴出後に停止するように制御している。これは、噴出側の風量が勝っている場合やエアー噴出側と吸引側とのタイミングが合わない場合に異物がフード４６の外に出てしまう可能性があるため、これを防止するためである。
【００６２】
本発明は、このように異物検出時、エアー噴出と吸引手段４８とを組み合わせることで、毛髪などの軽い異物を効果的に排出することを特徴としている。
【００６３】
図６は、異物除去装置の動作フローである。まず、装置起動判定処理５１で、異物除去装置の起動操作が行われたか確認を行う。起動操作が行われた場合は、装置起動処理５２を行う。装置起動処理５２では、図１の搬送手段２及び搬送物供給装置２０が起動し、検査する搬送物４が、異物除去装置１に搬送される。
【００６４】
つぎに、搬送物４を撮影する画像撮影処理５３を行い、撮影したデータに対して画像処理５４を行う。次に画像処理５４の結果から異物判定処理５５を行う。ここで異物有りと判定した場合は、異物検出画像表示処理５６を行い、検出した異物の画像を図１のモニタ１７に表示する。つぎに、異物座標算出処理５７により、異物の座標を算出し、排出指令処理５８を行う。つぎは、装置停止判定処理５９により、異物除去装置の停止操作が行われたか確認を行う。
【００６５】
停止操作が行われない場合は、画像撮影処理４３を行い、以下、上述の処理を繰り返す。停止操作が行われた場合は、装置停止処理６０が行われる。装置停止処理６０では、図１の搬送手段２、搬送物供給装置２０が停止する。
【００６６】
図７は、従来の排出処理（異物除去処理）における動作フローである。
【００６７】
排出処理は、図１の制御手段１８で制御される。
【００６８】
まず、排出指令判定処理６１で、排出指令があるか確認を行う。ここで、排出指令がある場合は、排出判定処理６２を行う。排出判定処理６２では、異物の座標データを参照し、Ｘ座標と搬送手段２の速度とから現在の異物の位置を特定し、異物が搬送手段２の終端まで来ているか確認を行う。異物が搬送手段２の終端まで来ている場合は、異物排出処理６３を行う。異物排出処理６３は、異物の座標データ参照し、Ｙ座標に対するエアーノズル４１の電磁弁４２をオンにして、対象異物を排出する。この結果、排出された異物は、異物トレイ４７に格納される。
【００６９】
図８は、本発明の実施例の排出処理（異物除去処理）における動作フローである。
【００７０】
本実施例においては、異物を排出するエアーノズル４１が複数あるのに対して、吸引手段４８が１つであること、また、異物を連続で検出した場合の排出ミスの可能性を考慮して吸引手段４８の状態監視を行い、制御を行う必要がある。
【００７１】
まず、排出指令判定処理６１で、排出指令があるか確認を行う。ここで、排出指令がある場合は、吸引手段停止判定処理６４を行う。吸引手段が停止中の場合は、吸引手段起動処理６５を行い、吸引手段を起動する。
【００７２】
つぎに、排出判定処理６２を行い、排出可能なら異物排出処理６３を行う。また、排出指令判定処理６１で排出指令がない場合は、吸引手段起動判定処理６６を行う。ここで、吸引手段が起動中の場合は、吸引手段停止処理６７を行い、吸引手段を停止する。このように吸引手段を必要な時にだけ起動するように制御している。
【００７３】
このように、本発明によれば、異物検出時、エアー噴出と吸引手段を組み合わせて、それぞれ細かく制御することで、毛髪などの軽い異物のピンポイント排出の実現と排出時、毛髪などの軽い異物の紛失を防止する効果がある。
【００７４】
図９は、本発明による他の実施例である異物除去装置の構成要素の異物吸引部を示す側面図である。
【００７５】
本実施例においては、フード４６にダクト１２１、バルブ１１２、減圧空気容器１１１及び吸引手段４８を上流側よりこの順で接続し、異物検査部で異物３０を検出しない状態ではバルブ１１２を閉とし、減圧空気容器１１１は、吸引手段４８により減圧状態が維持される。異物検査部で異物３０を検出した直後に、制御部の制御信号によりバルブ１１２を開とする制御を行うようになっている。
【００７６】
本実施例によれば、異物３０を検出した直後に吸引手段４８を稼動するのではなく、あらかじめ減圧空気容器１１１を減圧状態にしておくため、吸引開始の制御信号を受けた直後にバルブ１１２を開として吸引を開始することができる。
【００７７】
また、本実施例の場合、減圧空気容器１１１が減圧状態を維持できていれば、吸引手段４８は、常に稼動しておく必要はなく、間欠的に稼動すればよい。
【００７８】
さらに、減圧空気容器１１１が減圧状態を確実なものとするために、減圧空気容器１１１と吸引手段４８との間にもバルブを設けてもよい。このバルブは、吸引手段４８の稼動と同時に開とし、吸引手段４８が停止している間は閉とすればよい。
【００７９】
以上のように、本発明においては、吸引手段４８を常時稼動する必要がないため、搬送物４に混入した異物３０を除去する際の電力消費量を低減し、異物３０とともに除去されて使用できなくなる搬送物４（搬送物の損失）を少なくすることができる。また、搬送物の搬送抵抗を低減することができる。
【符号の説明】
【００８０】
１：異物除去装置、２：搬送手段、３：搬送駆動装置、４：搬送物、５：光源ユニット、６：撮影手段、７：プリズム、８：撮像素子、９：フィルタ、１０：レンズ、１１ａ、１１ｂ：ストロボ光源、１２：反射板、１３：反射光、１５：画像間演算手段、１６：異物検出手段、１７：モニタ、１８：制御手段、１９：仕分け手段、２０：搬送物供給装置、２１：選別トレイ、３０：異物、３１：撮像エリア、４１：エアーノズル、４２：電磁弁、４３：エアー、４４：シュート、４５：搬送物トレイ、４６：フード、４７：異物トレイ、４８：吸引手段、５１：装置起動判定処理、５２：装置起動処理、５３：画像撮影処理、５４：画像処理、５５：異物判定処理、５６：異物検出画像表示処理、５７：異物座標算出処理、５８：排出指令処理、５９：装置停止判定処理、６０：装置停止処理、６１：排出指令判定処理、６２：排出判定処理、６３：異物排出処理、６４：吸引手段停止判定処理、６５：吸引手段起動処理、６６：吸引手段起動判定処理、６７：吸引手段停止処理、１１１：減圧空気容器、１１２：バルブ。
【図１】
2011000542.tif 000003
【図２】
2011000542.tif 000004
【図３】
2011000542.tif 000005
【図４】
2011000542.tif 000006
【図５】
2011000542.tif 000007
【図６】
2011000542.tif 000008
【図７】
2011000542.tif 000009
【図８】
2011000542.tif 000010
【図９】
2011000542.tif 000011